(57)【要約】　　　（修正有）【課題】各種高さの自動車から下車する事なく、乗車のままで利用できるドライブスルー型自動販売システムを構築する事。【解決手段】自動販売機を操作部と商品ストック部に分けて、それらを様々なプログラムを有するコンピューターによる制御系統と、その制御信号により払出された商品を操作部に送る搬送装置で結びつけた。【選択図】図１
2004013892.tif 000002
【特許請求の範囲】
【請求項１】
自動販売機の商品ストック部と利用者用操作部を別々の機体とし、それらを、利用者が選択した商品の払出順番管理・払出す商品の種類と数量の指示・商品払出先の指示、の各機能を有するソフトウエアーのコンピューターで構成された統括制御部と、これに制御されて作動する搬送装置で結びつけた事を特徴とする、乗車のままで利用できるドライブスルー型の自動販売システム。
【請求項２】
利用者用操作部を自動車１台毎に、任意に高さ（垂直方向の位置）を調整できる事を特徴とする、請求項１の乗車のままで利用できるドライブスルー型の自動販売システム。
【発明の詳細な説明】
【０００１】
【発明の属する技術分野】
本発明は、自動車に乗車したままでも利用できる様にしたドライブスルー型の自動販売システムに関するものである。
【０００２】
【従来の技術】
従来の自動販売機（以下「自販機」とする。）は様々なタイプはあるが、商品ストック部と利用者用操作部は同一機体として組み込まれておりその結果▲１▼自販機の地上高位置調整が簡単にできない。▲２▼自動車の窓から操作できる範囲に陳列できる商品種類数は限られてしまう。▲３▼利用者用操作部の数は自販機の台数によって限定されてしまう。といった問題点の為、従来の自販機を利用してドライブスルー型の自動販売を実施する事は無理があった。
【０００３】
【発明が解決しようとする課題】
その為本発明は、ドライブスルー型の自動販売を可能にする為に、
▲１▼自動車１台毎にその都度、利用者用操作部の地上高位置を調整できる事。
▲２▼多種類の商品を１箇所の利用者用操作部で（一度停車したら移動する事なく）選択し購入できる事。
▲３▼１台（或いは１グループ）の商品ストック部を複数箇所の利用者用操作部から利用できる事。
の３点を解決しようとする課題とした。
【０００４】
【課題を解決する為の手段】
そこで本発明は前項の課題を解決する為に、
▲１▼商品ストック部と利用者用操作部を別々に（分離して）設置する。
▲２▼この利用者用操作部は地上高の位置を任意に可変できる様にする。
▲３▼（利用者が選択した）商品の払出順番管理・払出す商品の種類と数量の指示・商品払出先の指示、の各機能を有するソフトウエアーのコンピューターで構成された「統括制御部」を設置する。この統括制御部は各利用者用操作部から同時的或いは散発的に、及び様々な商品選択の信号を受け、以下に記する働きにより本発明のシステムを統括的に制御する。
▲４▼商品ストック部は、多種類の商品の中から統括制御部の指示する商品及び数量を払出す。
▲５▼利用者用操作部は上下調整スイッチ・現金投入口・コインメカ部（投入代金処理用）・商品選択スイッチ等から構成され、商品取出口及び商品表示部と一緒に組付けられて、「自販機スタンド」として任意の場所に設置する。商品ストック部と利用者用操作部（即ち自販機スタンド）のそれぞれの台数組合せは自由に設定できる。
▲６▼商品ストック部の商品払出下流部には、統括制御部からの指示により作動し、それぞれの自販機スタンドに振り分ける為の「商品送出先案内機」を付設する。
▲７▼商品送出先案内機と自販機スタンドの間には、統括制御部の指示により作動する、商品の搬送装置を設置する。
【０００５】
【発明の実施の形態及び実施例】
本発明の実施の形態を実施例によって図１〜図４を参照しながら説明すると、図１に示す様に自販機スタンド（ここでは１２だけに利用自動車を記したが、１１・１３・１４においても同じ。）に横着けした利用自動車の乗員はその自動車の窓から図４に示す上下調整スイッチ１９を操作して、自販機スタンド１１〜１４を利用し易い高さに調整し、現金投入後商品選択スイッチ１６を操作すると、図１と図３に示す様に商品ストック部５〜７から払出された商品は、商品送出先案内機１０を経由してベルトコンベヤー１〜４に送られベルトコンベヤーの作動で自販機スタンド１１〜１４に送り込まれ利用自動車の乗員が操作した自販機スタンドの商品取出部１７に送られる。
例えば自販機スタンド１２で利用する場合。
▲１▼図１に示す様に自販機スタンド１２に横着けした利用自動車の乗員はその自動車の窓から図４に示す上下調整スイッチ１９を操作して自販機スタンド１２を利用し易い高さに調整する。
▲２▼図４に示す自販機スタンド１２の商品表示部１５から欲しい商品を選択し、現金投入部１８に現金投入後商品選択スイッチ１６を操作する。この操作により統括制御部は、自販機スタンド１２からの利用である事、及び払出すべき商品の種類と数量を認識し商品送出先案内機１０がベルトコンベヤー２の上に来る様に（図２の状態）指示信号を出力する。又、払出すべき商品の収められている商品ストック部５或いは６或いは７に払出の指示信号を出力する。
▲３▼その結果、図２の様に商品送出先案内機１０の出口がベルトコンベヤー２の上に来る様に作動し選択された商品が払出され、その商品はベルトコンベヤー２の上に送り出される。
▲４▼商品はベルトコンベヤー２により商品送出シュート９に達し、それを経由して自販機スタンド１２の商品取出口１７に達する。
自販機スタンド１１・１３・１４の利用の際も同様の流れになる。
ここでは自販機スタンドは４箇所、商品ストック部は３台とし、更に商品ストック部は自販機スタンドに対して上方に位置させているが、これらの事は（０００４項）に示した様にそれぞれの組合せ数と配置（水平・垂直方向の位置関係）は自由に設定でき本発明の主旨範囲である。
又、搬送装置はベルトコンベヤーを基本としているが、これも公知の各種機器を応用する事は可能でありこれも本発明の主旨範囲である。
尚、図面（図１〜図４）に著したものの寸法・形状の比例関係は実施段階においては様々に設定できるものであり一つの実施例である。
【０００６】
【発明の効果】
▲１▼従来型自販機の裏側は利用者にとっては、見通す事のできない不審ゾーンなので（何台も並べて設置してある場合は尚の事。）特に夜間女性客の利用は不安なものであったが、自販機スタンドはコンパクト化が可能なので不審ゾーンの形成にならないので、乗車のままという事と相まって安心して利用できる様になる。（犯罪抑止効果も期待できる。）
▲２▼従来の自販機は一般道路のすぐ脇にも設置できるので、ややもすればその自販機前の道路に一旦停車して利用するという様になり、交通安全の面からは問題であったが、本発明システムはこの様な立地は無理で、利用自動車は一旦は道路から離れるかたちになるので、利用者自身の安全性向上だけでなく周囲の交通安全にも寄与する。
▲３▼足腰の弱い人や身障者でも気軽に利用できる。
▲４▼商品ストック部と自販機スタンドに分離されていることから様々な形状の土地でも容易にそれらを展開設置でき、土地の効率的利用が図れる。
▲５▼歩行者の利用の場合でも自販機スタンドの高さを自由に調整できる事により、腰をかがめて商品を取出すという事がなくなる。
【０００７】
【図面の簡単な説明】
【図１】本発明の実施例を示した断面図である。
【図２】図１において商品送出先案内機１０が作動した状態を示す断面図である。
【図３】本発明の実施例を示す平面図である。
【図４】本発明の実施例中の「自販機スタンド１１〜１４」を示す正面図である。
【符号の説明】
１）　ベルトコンベヤー１
２）　ベルトコンベヤー２
３）　ベルトコンベヤー３
４）　ベルトコンベヤー４
５・６・７）商品ストック部
８・９）商品送出シュート
１０）商品送出先案内機
１１）自販機スタンド１１
１２）自販機スタンド１２
１３）自販機スタンド１３
１４）自販機スタンド１４
１５）商品表示部
１６）商品選択スイッチ
１７）商品取出口
１８）現金投入部
１９）上下調整スイッチ
２０）利用自動車
【図１】
2004013892.tif 000003
【図２】
2004013892.tif 000004
【図３】
2004013892.tif 000005
【図４】
2004013892.tif 000006